(57)【要約】【課題】消費電力を節減しながらも、支柱の根元付近より離れた箇所までを照明することができる照明装置を提供する。【解決手段】支柱２の上部の主照明部３は、支柱３の前方近傍を照明することができる。また、支柱２の下部の副照明部４は、支柱２の根元付近より該支柱から離れた箇所までをも照明することができる。更に、照明方向に指向性を有することから、副照明部４の照度を格別に高くしなくても、支柱２の根元付近より離れた箇所までを効率的に照明して、この照明範囲の視認性を確保することができる。また、副照明部４の照明範囲を特定していることから、副照明部４の消費電力を抑えることができる。従って、消費電力を節減しながらも、支柱２の根元付近より離れた箇所までを照明することができる。【選択図】図１
2005235513.tif 000002
【特許請求の範囲】
【請求項１】
立設される支柱と、
支柱の上部に設けられ、支柱の近辺を照明する主照明部と、
支柱の下部に設けられ、照明方向に指向性を有する副照明部とを備え、
指向性を有する副照明部の照明により、主照明部が照明し得ない照明範囲を照明することを特徴とする照明装置。
【請求項２】
副照明部の光源がＬＥＤであることを特徴とする請求項１に記載の照明装置。
【請求項３】
主照明部及び副照明部の電力を生成する太陽電池を備えることを特徴とする請求項１に記載の照明装置。
【請求項４】
太陽電池は、支柱に取り付けられた枠により支持されることを特徴とする請求項３に記載の照明装置。
【請求項５】
支柱の上部を折り曲げて、傾斜頭部及び垂直胴部を支柱に設け、主照明部を傾斜頭部及び垂直胴部に分けて配置したことを特徴とする請求項１に記載の照明装置。
【請求項６】
副照明部の少なくとも一部を支柱の表面よりも突出させたことを特徴とする請求項１に記載の照明装置。
【請求項７】
副照明部近傍で、支柱の表面を光反射面としたことを特徴とする請求項６に記載の照明装置。
【請求項８】
支柱は、ステンレス鋼からなることを特徴とする請求項１に記載の照明装置。
【請求項９】
支柱を中空構造とし、主照明部及び副照明部の電力を供給する蓄電池を支柱内に収容したことを特徴とする請求項１に記載の照明装置。
【請求項１０】
蓄電池を主照明部と副照明部の間に配置したことを特徴とする請求項９に記載の照明装置。
【請求項１１】
支柱の断面形状を多角形にしたことを特徴とする請求項１に記載の照明装置。
【発明の詳細な説明】
【技術分野】
【０００１】
本発明は、屋外での夜間照明に用いられる照明装置に関する。
【背景技術】
【０００２】
街路灯、庭園や構内の常夜灯などの照明装置は、適宜な照度を有する数十Ｗの直管蛍光燈やサークルライン等を光源とし、商用交流電源からの電力供給を受けて、３乃至４ｍの高さより照明するものである。従って、この種の照明装置は、極めて高い照度を有する水銀灯や低圧ナトリウム灯を光源として、５乃至１０ｍの高さより照明する車道用のものとは用途が異なる。
【０００３】
この種の照明装置では、３乃至４ｍの支柱の頂部に光源を取り付けて、その高さより斜め前方を照明し、また光源の照度を適宜に抑えることから、照明範囲が支柱の前方近傍に制約されて狭く、その上、支柱の根元付近も十分に照明することができず、足元が暗くなる傾向にあった。このため、弱視の人、子供、老人、自転車に乗っている人等は、支柱から離れた箇所や支柱の根元付近を視認し難く、路上の石、支柱、及び支柱のベース等に躓いたり衝突し易く、転倒することもあった。
【０００４】
そこで、例えば特許文献１には、街路灯の支柱下部に補助のランプを設け、このランプにより照明するという技術が提案されている。
【特許文献１】特開平０６−７６６１３号公報
【発明の開示】
【発明が解決しようとする課題】
【０００５】
しかしながら、特許文献１では、支柱下部の補助のランプとして、３６０度方向を照明するものを用いているため、支柱付近で足元を照明するこができても、支柱から離れた箇所の照明はできなかった。また、支柱上部のランプや下部の補助のランプの照度を高くすれば、照明範囲を広げることができるものの、街路灯、庭園や構内の常夜灯などの照明装置としては、高過ぎる照度は好ましくなく、照明範囲を安易に広げることができなかった。
【０００６】
また、この種の照明装置では、商用交流電源ではなく、太陽電池と蓄電池を組み合わせた電源を用いることがある。この場合は、消費電力の節減が必須となり、照明範囲がより狭くなって、照度もより低下することになり、支柱から離れた箇所や支柱の根元付近の視認性向上が益々困難になった。
【０００７】
そこで、本発明は、上記従来の問題点に鑑みてなされたものであり、消費電力を節減しながらも、支柱の根元付近より離れた箇所までを照明することができる照明装置を提供することを目的とする。
【課題を解決するための手段】
【０００８】
上記課題を解決するために、本発明の照明装置は、立設される支柱と、支柱の上部に設けられ、支柱の近辺を照明する主照明部と、支柱の下部に設けられ、照明方向に指向性を有する副照明部とを備え、指向性を有する副照明部の照明により、主照明部が照明し得ない照明範囲を照明している。
【０００９】
また、本発明においては、副照明部の光源がＬＥＤである。
【００１０】
更に、本発明においては、主照明部及び副照明部の電力を生成する太陽電池を備えている。
【００１１】
また、本発明においては、太陽電池は、支柱に取り付けられた枠により支持されている。
【００１２】
更に、本発明においては、支柱の上部を折り曲げて、傾斜頭部及び垂直胴部を支柱に設け、主照明部を傾斜頭部及び垂直胴部に分けて配置している。
【００１３】
また、本発明においては、副照明部の少なくとも一部を支柱の表面よりも突出させている。
【００１４】
更に、本発明においては、副照明部近傍で、支柱の表面を光反射面としている。
【００１５】
また、本発明においては、支柱は、ステンレス鋼からなる。
【００１６】
更に、本発明においては、支柱を中空構造とし、主照明部及び副照明部の電力を供給する蓄電池を支柱内に収容している。
【００１７】
また、本発明においては、蓄電池を主照明部と副照明部の間に配置している。
【００１８】
更に、本発明においては、支柱の断面形状を多角形にしている。
【発明の効果】
【００１９】
本発明によれば、支柱上部の主照明部は、該支柱の近辺を照明しており、例えば支柱の前方近傍を照明することができる。また、支柱下部の副照明部は、主照明部が照明し得ない照明範囲を照明しており、その照明方向に指向性を有することから、例えば支柱の根元付近より離れた箇所までをも照明することができる。更に、照明方向に指向性を有することから、副照明部の照度を格別に高くしなくても、支柱の根元付近より離れた箇所までを効率的に照明して、この照明範囲の視認性を確保することができる。従って、本発明の照明装置は、街路灯、庭園や構内の常夜灯などとして好適であり、副照明部の照明を自転車や自動車を運転する人が眩しく感じることもない。また、副照明部の照明範囲を特定していることから、副照明部の消費電力を抑えることができる。従って、消費電力を節減しながらも、支柱の根元付近より離れた箇所までを照明することができる。
【００２０】
街路灯、庭園や構内の常夜灯などでは、主照明部の高さを３乃至４ｍとし、副照明部の高さを０．５乃至１．０ｍ程度にするのが好ましい。
【００２１】
仮に、副照明部の照明方向に指向性がなければ、支柱の根元付近より離れた箇所までを照明するには、副照明部の照度を極めて高くする必要があり、例えば高輝度のガス封止電球等を用いることになる。しかしながら、高輝度のガス封止電球等は、街路灯、庭園や構内の常夜灯などの副照明部として適格ではなく、副照明部として用いると、副照明部の照明を自転車や自動車を運転する人が眩しく感じてしまい、事故を誘発し易く、また消費電力も極めて増大する。
【００２２】
また、本発明によれば、副照明部の光源がＬＥＤである。ＬＥＤは、例えば半値全幅が１０度程度であり、照明方向の指向性が十分に狭く、その光が散乱せずに特定の照明範囲だけに照射される。このため、例えば雨天や霧の夜間でも、路面の状態を鮮やかに照明することができる。通常、ＬＥＤ１個当たりの照度が低いので、複数個（５乃至３０個程度）のＬＥＤを円や多角形のラインに沿って幾何学的に配列したものを副照明部として用いる。この場合でも、副照明部の消費電力が０．５乃至１．０Ｗ程度に過ぎない。これに対して一般の電球は、指向性を有していないので、照度を極めて高くしなければ、照明としての役目を果たせず、消費電力も極めて高くなる。
【００２３】
更に、本発明によれば、主照明部及び副照明部の電力を生成する太陽電池を備えている。この場合は、太陽電池の発電電力を蓄電池に一旦充電して、夜間に蓄電池からの電力供給により主照明部及び副照明部を点灯させることになる。従って、商用交流電源からの電力供給を必用とせず、地震等の災害時に商用交流電源からの電力供給が停止しても、主照明部及び副照明部を点灯させることができ、非常灯としても役立てることができる。
【００２４】
しかも、主照明部及び副照明部を直流で駆動し、蛍光燈の様に交流駆動を必要としないので、各種の無線機、携帯電話機、心臓病のペースメーカ等に影響を与えることがない。
【００２５】
また、本発明によれば、太陽電池を支柱に取り付けられた枠により支持しているので、太陽電池そのものを支持する枠と太陽電池を支柱に取り付けるための枠を共通化することができ、枠の小型化、構造の簡単化、外観の改善、部品点数の減少、コストの削減等を図ることができる。また、太陽電池並びに枠の受風面積を減らして、それらの必要強度を小さくすることができ、これに伴い枠の厚みや質量をより軽減することができ、支柱の厚みや質量も軽減することができる。
【００２６】
更に、本発明によれば、支柱の上部を折り曲げて、傾斜頭部及び垂直胴部を支柱に設け、主照明部を傾斜頭部及び垂直胴部に分けて配置している。これにより、主照明部を広い範囲に分散配置することができ、主照明部による照明範囲を多様に設定することが可能になり、しかも優れた外観を得ることができる。
【００２７】
街路灯、庭園や構内の常夜灯などでは、傾斜頭部の傾斜角を水平に対して２０乃至３０度に設定し、主照明部の光を傾斜頭部の傾斜角に直交する方向に照射し、また主照明部の光を垂直胴部より斜め下方４５度の方向に照射するのが好ましい。
【００２８】
また、本発明によれば、副照明部の少なくとも一部を支柱の表面よりも突出させているので、副照明部からの僅かな散乱光が支柱の表面で反射して、足元が照明される。この場合は、副照明部近傍で、支柱の表面を光反射面とし、支柱の表面での光反射率を高めるのが好ましい。
【００２９】
更に、支柱として、ステンレス鋼製のものを用いているので、支柱の表面全体の光反射率を高めることができ、副照明部からの僅かな散乱光だけではなく、主照明部からの僅かな散乱光をも支柱の表面で反射することができ、支柱そのものが照明され、支柱の視認性が向上し、外観が良くなる。また、支柱の耐久性が極めて高くなって、塗装が不用となり、噴水池や湿地帯での長期使用が可能になる。
【００３０】
また、本発明によれば、支柱を中空構造とし、主照明部及び副照明部の電力を供給する蓄電池を支柱内に収容している。例えば、蓄電池を主照明部と副照明部の間に配置している。このため、複数の蓄電池を重ねて収容することができ、各蓄電池と太陽電池との組み合わせからなる電源により、日照時間が殆ど無くても、数日にわたって、主照明部及び副照明部を点灯させることが可能になる。このため、単なる照明としてだけではなく、案内灯、保安灯、地震等の災害時の非常灯などの役目も果たすことができる。
【００３１】
更に、支柱の断面形状を多角形にしている。この場合は、地面に穴を掘って、この穴に支柱を立て、コンクリートを流し込んで固めるだけで、支柱を回転させない状態で立設することができる。
【発明を実施するための最良の形態】
【００３２】
以下、本発明の実施例を添付図面を参照しつつ詳細に説明する。
【実施例１】
【００３３】
図１は、本発明の照明装置の実施例１を示す斜視図である。また、図２は本実施例の照明装置を示す正面図であり、図３は本実施例の照明装置を示す側面図であり、図４は本実施例の照明装置を上方から見て示す平面図である。更に、図５は、本実施例の照明装置による照明範囲を示す側面図である。
【００３４】
尚、以降は、本実施例の照明装置として、ベースプレートにより固定するタイプと、ベースプレートを付属させずに地中に１ｍの深さに埋設して使用するタイプとを併記する。
【００３５】
本実施例の照明装置１では、支柱２の上部に主照明部３を設け、支柱２の下部に副照明部４を設けている。また、支柱２の上部に太陽電池５を支持し、支柱２内に複数の蓄電池６及び充放電ユニット７を縦に並べて収容している。充放電ユニット７は、太陽電池５の発電電力を各蓄電池６に充電したり、各蓄電池６の電力を主照明部３及び副照明部４に供給して、主照明部３及び副照明部４を点灯させる。
【００３６】
支柱２は、厚さ２ｍｍのステンレス鋼板を板金加工して形成したものであり、四角柱状の中空である。また、ベースプレート１１及び各補強板１２は、ステンレス鋼板を切断加工したものである。支柱２、ベースプレート１１、及び各補強板１２の表面は、滑らかな鏡面状である。
【００３７】
支柱２をベースプレート１１の孔１１ａに通して、支柱２の下端より１ｍの箇所にベースプレート１１を固定し、支柱２の各側壁とベースプレート１１を４個の補強板１２により連結して、支柱２にベースプレート１１を強固に取り付けている。支柱２、ベースプレート１１、及び各補強板１２は、溶接もしくはネジ止めにより相互に固定される。
【００３８】
支柱２の上部は、折れ曲がっており、折れ曲げられた箇所の上側が傾斜頭部２ａとなり、下側が垂直胴部２ｂとなっている。傾斜頭部２ａは、その長さを略０．６ｍに設定され、その傾斜角を水平に対して２０乃至３０度に設定されている。垂直胴部２ｂは、その長さを、ベースプレートタイプのものは３．０ｍ、埋設タイプのものは４．０ｍに設定されており、該垂直胴部２ｂの上端からベースプレート１１までの長さが３．０ｍである。
【００３９】
主照明部３は、ベースプレート１１から略３ｍ（地上略３ｍ）の高さに設けられ、傾斜頭部２ａ側の６個のＬＥＤランプ２１と、垂直胴部２ｂ側の２個のＬＥＤランプ２２とを備える。各ＬＥＤランプ２１、２２は、同一構造であり、図６に示す様に１８個のＬＥＤ２３を基板２４上で円や多角形のラインに沿って幾何学的に配列し、各ＬＥＤ２３及び基板２４を散光球体２５により覆い、散光球体２５の開口端２５ａに口金２６を固定したものである。各ＬＥＤ２３は、基板２４の配線パターンにより相互に接続され、更に基板２４を介して口金２６に接続されている。散光球体２５は、例えばガラス球体の表面に散光性粒子を塗布したものであり、各ＬＥＤ２３からの光を散乱させる。各ＬＥＤ２３は、例えば半値全幅が１０度程度であり、照明方向の指向性が十分に狭いものの、それらの光が散光球体２５により散乱される。このため、各ＬＥＤランプ２１、２２としての指向性は広くなる。
【００４０】
支柱２の傾斜頭部２ａの下側壁板２ｃに６つの円形の孔２７を設け、各孔２７の奥にそれぞれのソケット２８を配列し固定している。各ＬＥＤランプ２１を各孔２７に通して、各ＬＥＤランプ２１の口金２６をそれぞれのソケット２８に差し込んで接続し、各ＬＥＤランプ２１の全てのＬＥＤ２３を各ソケット２８に接続する。
【００４１】
この状態では、各ＬＥＤランプ２１は、２０乃至３０度で傾斜している傾斜頭部２ａに対して直交する方向に向き、支柱２の前方近傍に向く。また、各ＬＥＤランプ２１の指向性は広い。このため、各ＬＥＤランプ２１は、図４及び図５に示す様な支柱２の前方近傍の照明範囲Ａを照明する。この照明範囲Ａは、例えば直径２ｍ程度である。
【００４２】
また、垂直胴部２ｂの前側壁板２ｄの上側に１つの長円形の孔３１を設け、孔３１の奥に２つのソケット３２を配置し固定している。各ＬＥＤランプ２２を孔３１に通して、各ＬＥＤランプ２２の口金２６をそれぞれのソケット３２に差し込んで接続し、各ＬＥＤランプ２２の全てのＬＥＤ２３を各ソケット３２に接続する。
【００４３】
この状態では、各ＬＥＤランプ２２は、垂直胴部２ｂより斜め下方４５度の方向に向き、支柱２の前方少し遠くに向く。また、各ＬＥＤランプ２２の指向性は、各ＬＥＤ２１と同様に広い。このため、各ＬＥＤランプ２２は、図４及び図５に示す様な支柱２の前方少し離れた照明範囲Ｂを照明する。この照明範囲Ｂは、例えば長さ３ｍ程度である。
【００４４】
従って、主照明部３は、その照明方向の指向性が広く、図４及び図５に示す支柱２の前方近傍の照明範囲Ａ及び前方少し離れた照明範囲Ｂを照明する。
【００４５】
副照明部４は、ベースプレート１１より略０．５ｍ（地上略０．５ｍ）の垂直胴部２ｂの部位に設けられた２個のＬＥＤランプ３３を備える。各ＬＥＤランプ３３は、各ＬＥＤランプ２１、２２と略同一構造であり、図７に示す様に９個のＬＥＤ２３を基板２４上で円や多角形のラインに沿って幾何学的に配列し、各ＬＥＤ２３及び基板２４を透明球体２９により覆い、透明球体２９の開口端２９ａに口金２６を固定したものである。各ＬＥＤ２３は、基板２４の配線パターンにより相互に接続され、更に基板２４を介して口金２６に接続されている。透明球体２９は、各ＬＥＤランプ２１、２２の散光球体２５とは異なり、例えば単なる透明なガラス球体であり、各ＬＥＤ２３からの光をそのまま透過させる。従って、ＬＥＤランプ３３の指向性は、各ＬＥＤ２３の指向性に略一致し、例えば半値全幅が１０度程度で十分に狭く、その照射範囲も狭くなる。
【００４６】
垂直胴部２ｂの前側壁板２ｄの下側に２つ長円形の孔３４を設け、各孔３４の奥にそれぞれのソケット３５を配置し固定している。各ＬＥＤランプ３３を各孔３４に通して、各ＬＥＤランプ３３の口金２６をそれぞれのソケット３５に差し込んで接続し、各ＬＥＤランプ３３の全てのＬＥＤ２３を各ソケット３５に接続する。
【００４７】
この状態では、各ＬＥＤランプ３３は、垂直胴部２ｂより斜め下方１０度の方向に向き、支柱２の前方遠くに向く。また、各ＬＥＤランプ３３の指向性は、狭い。このため、各ＬＥＤランプ３３は、支柱２の前方遠くを照明する。
【００４８】
更に、各ＬＥＤランプ３３は、図８に示す様に垂直胴部２ｂの前側壁板２ｄの各孔３４から僅かに突出している。このため、各ＬＥＤランプ３３の透明球体２９で反射されたり、更に前側壁板２ｄの表面で反射された僅かな散乱光が支柱２の根元近傍を照明する。
【００４９】
従って、各ＬＥＤランプ３３により支柱２の前方遠くが直接照明され、各ＬＥＤランプ３３の散乱光により支柱２の根元付近が間接照明される。すなわち、副照明部４は、図４及び図５に示す様な支柱２の根元付近から前方離れた箇所までの照明範囲Ｃを照明する。この照明範囲Ｃは、例えば最大幅２ｍで長さ１０ｍ程度である。
【００５０】
尚、各ＬＥＤランプ３３だけではなく、各ＬＥＤランプ２１、２２も支柱２の各孔２７、３１から僅かに突出しており、各ＬＥＤランプ２１、２２の僅かな散乱光が支柱２の表面で反射される。これにより、支柱２そのものが照明され、支柱２の視認性が向上し、外観が良くなる。
【００５１】
また、副照明部４の各ＬＥＤランプ３３の傾きをずらして、各ＬＥＤランプ３３により図４及び図５に示す照明範囲Ｃを直接照明することもできる。
【００５２】
この様に照明装置１では、主照明部３により図４及び図５に示す支柱２の前方近傍の照明範囲Ａ及び前方少し離れた照明範囲Ｂを照明するだけではなく、副照明部４により図４及び図５に示す支柱２の根元付近から前方離れた箇所までの照明範囲Ｃを照明することができる。このため、例えば図９に示す様に照明装置１を庭園等に設置した場合は、照明装置１の支柱２の前方付近は勿論のこと、支柱２の根元付近より飛び石３６からなる路に沿って照明をすることができる。あるいは、照明装置１を街路灯として設置した場合は、支柱２の根元付近より街路に沿って照明をすることができる。
【００５３】
また、副照明部４が２個のＬＥＤランプ３３だけであり、各ＬＥＤランプ３３の照度が格別に高くないものの、各ＬＥＤランプ３３の照明方向に指向性を有することから、支柱２の根元付近より離れた箇所までを効率的に照明して、この照明範囲の視認性を確保することができる。従って、照明装置１は、街路灯、庭園や構内の常夜灯などとして好適であり、副照明部４の照明を自転車や自動車を運転する人が眩しく感じることもない。また、副照明部４の照明範囲を特定していることから、副照明部４の消費電力を抑えることができる。従って、消費電力を節減しながらも、支柱２の根元付近より離れた箇所までを照明することができる。
【００５４】
仮に、副照明部４の照明方向に指向性がなければ、支柱２の根元付近より離れた箇所までを照明するには、副照明部４の照度を極めて高くする必要があり、例えば高輝度のガス封止電球等を用いることになる。しかしながら、高輝度のガス封止電球等は、街路灯、庭園や構内の常夜灯などの副照明部４として適格ではなく、副照明部４として用いると、副照明部４の照明を自転車や自動車を運転する人が眩しく感じてしまい、事故を誘発し易く、また消費電力も極めて増大する。
【００５５】
更に、先に述べた様に主照明部３の各ＬＥＤランプ２１、２２が１８個のＬＥＤ２３をそれぞれ備え、主照明部３の消費電力が数Ｗ程度であり、また副照明部４の各ＬＥＤランプ３３が９個のＬＥＤ２３をそれぞれ備え、副照明部４の消費電力が０．５乃至１．０Ｗ程度であることから、消費電力を低減することができる。このため、各蓄電池６として、２乃至６個の１２Ｖ長寿命蓄電池を適用すれば、太陽電池５と各蓄電池６との組み合わせからなる電源により、日照時間が殆ど無くても、５乃至１０日にわたって、主照明部３及び副照明部４を点灯させることが可能になる。このため、照明装置１は、単なる照明としてだけではなく、案内灯、保安灯、地震等の災害時の非常灯などの役目も果たすことができる。
【００５６】
また、各ＬＥＤランプ２１、２２、３３においては、複数のＬＥＤを幾何学的に配置しているので、各ＬＥＤの発光そのものがデザイン的に優れ、人に安らぎ感を与える。
【００５７】
次に、太陽電池５、各蓄電池６、及び充放電ユニット７について述べる。
【００５８】
太陽電池５は、支持枠４１により支持されており、この支持枠４１が支柱２の垂直胴部２ｂ上端に突設されたシャフト４２により回転自在に支持されている。図１０は、太陽電池５、支持枠４１、及びシャフト４２等を示す断面図である。太陽電池５は、２０乃至３０年の耐用期間を持つものであり、例えば単結晶又は多結晶の太陽電池セルを太陽光透過率の高い強化ガラス裏面に実装支持し、耐候性白色フィルムを貼り合わせて、ＥＶＡ（エチレン酢酸ビニル共重合体）やシリコーン樹脂等により補強し、更にコネクタボックス５ａを取り付けたものである。支持枠４１は、ステンレス鋼を板金加工して形成されたものであり、太陽電池５の縁を引っ掛けて支持している。また、支持枠４１の中央部が下方に膨らんで中空となっており、太陽電池５並びに支持枠４１の構造強度を増すと共に、デザイン的にも変化を設けている。ここに太陽電池５のコネクタボックス５ａが収納されている。更に、支持枠４１裏面には、太陽電池５の受光面に対して７０度〜４５度傾けて筒状のシャフト受け４３を突設している。
【００５９】
支持枠４１は、その裏面のシャフト受け４３を支柱２の垂直胴部２ｂ上端のシャフト４２に嵌め込むことにより回転自在に支持される。受光面に対して７０度の状態では、太陽電池５の受光面が水平方向に対して２０度傾く。この２０度の傾きは、山影、至近の建物、構造物等により受光障害が多く発生するなど照明装置１の設置環境が悪く、太陽からの直接光が支柱２の上部の太陽電池５に殆ど入射しないときに、この直接光に代わって、空からの間接光を太陽電池５により多く入射させるために設定される。
【００６０】
また、照明装置１の設置環境が良く、太陽からの直接光が支柱２上部の太陽電池５に入射するときには、太陽電池５の受光面を水平方向に対して略３５度傾けるのが良い。
【００６１】
冬季多少の積雪がある地域、及び年間を通して１２月１月等の日射量が極端に少ない地域などでは、積雪の滑雪効果も増大する略４５度傾けるのが良い。
【００６２】
更に、支持枠４１を回転させて、太陽電池５による発電電力が最も大きくなる様に太陽電池５を南の方向近辺に向ける。
【００６３】
支柱２の背面側には、着脱自在の背面板２ｅをネジ止めしている。背面板２ｅの長さは、各蓄電池６及び充放電ユニット７の配置スペースの長さに略等しくされており、この背面板２ｅを取り外せば、各蓄電池６及び充放電ユニット７のメンテナンスを行なうことができる。
【００６４】
また、支柱２の内壁の４隅と各蓄電池６及び充放電ユニット７との間には、隙間を設けている。この隙間は、夏期に支柱２内で温度上昇した空気や、各蓄電池６から発生したガスを上方に通して支柱２の各ＬＥＤランプの孔から放出するために、あるいは支柱２内に侵入した雨水や結露を下方に通して支柱２の水抜き孔（図示せず）から排水するために設けられたものである。
【００６５】
ここで、太陽電池５の発電電力は、充放電ユニット７に供給される。充放電ユニット７は、太陽電池５の発電電力を各蓄電池６に充電する。また、日没後には、太陽電池５の発電電圧が低下することから、充放電ユニット７は、太陽電池５の発電電圧が一定値以下となる日没を感知し、各蓄電池６の電力を主照明部３及び副照明部４に供給して、主照明部３及び副照明部４を点灯させる。更に、充放電ユニット７は、主照明部３及び副照明部４の点灯時間を計時し、設定されたこの点灯時間が一定時間に達すると、主照明部３及び副照明部４を消灯する。これは、一般に、深夜になると照明を必要としないことから、節電のために行われる。ただし、照明装置１の保安灯や非常灯としての役目を重視する場合は、明け方近くまで、蓄電池５の残存電力が一定値を下回らない範囲で、主照明部３及び副照明部４の点灯を継続しても良い。
【００６６】
この点灯時間は１〜１０時間の任意の時間に設定でき、日没から日の出までと設定することもできる。
【００６７】
この様に照明装置１では、太陽電池５を支持枠４１により直接支持しているので、太陽電池５そのものを支持する枠と太陽電池５を支柱２に取り付けるための枠を共通化することができ、支持枠４１の小型化、構造の簡単化、外観の改善、部品点数の減少、コストの削減等を図ることができる。また、太陽電池５並びに支持枠４１の受風面積を減らして、それらの必要強度を小さくすることができ、これに伴い支持枠４１の厚みや質量をより軽減することができ、支柱２の厚みや質量も軽減することができる。
【００６８】
通常、市販されている太陽電池には、厚み２５乃至５０ｍｍ程度のアルミ製の枠が取り付けられている。仮に、このアルミ製の枠を更に支柱２の支持枠４１により支持するという二重構造を採用したならば、大型化、構造の複雑化、外観の劣悪化、部品点数の増大、コストの増大等を招く。また、太陽電池並びに枠の受風面積が増大するので、それらの強度や支柱の強度を増大させる必要がある。
【００６９】
また、太陽電池５と各蓄電池６との組み合わせからなる電源を採用しているので、商用交流電源からの電力供給を必用とせず、地震等の災害時に商用交流電源からの電力供給が停止しても、主照明部及び副照明部を点灯させることができ、非常灯として役立てることができる。更に、商用交流電源と接続するための配線工事を必要とせず、太陽電池５の発電が可能であれば、如何なる場所にも設置することができる。
【００７０】
更に、四角柱状の中空の支柱２内で、主照明部３と副照明部４間に各蓄電池６及び充放電ユニット７を縦に並べて収容しているので、支柱２内のスペースを有効利用することができる。
【００７１】
また、地上略０．５ｍに副照明部４を配置し、これよりも上方に各蓄電池６及び充放電ユニット７を配置するので、台風・大雨・河川の氾濫等が発生しても、確度の多い膝下程度までの冠水では副照明部４、各蓄電池６、及び充放電ユニット７が浸水することはない。
【００７２】
更に、主照明部３及び副照明部４を直流で駆動しており、蛍光燈の様に交流駆動を必要としないので、各種の無線機、携帯電話機、心臓病のペースメーカ等に影響を与えることがない。
【００７３】
ベースプレートタイプのものは、後日移設等の可能性が考えられる場合に最適である。地中に穴を掘りアンカーボルトをセッティグしたあとコンクリートを流し込み、翌日以降のコンクリートが硬化した状態で本体を設置することとなるので、工事は２日かかる。
【００７４】
これに対し、埋設タイプのものは午前中に、本体設置とコンクリート流し込みを済ませ、夕刻には補助のつっかい棒もはずすことができるので、工事は一日で終る。
【００７５】
ここでは、本実施例の埋設タイプの照明装置１の施工方法を説明する。
【００７６】
まず、支柱２の背面板２ｅを外して、各蓄電池６及び充放電ユニット７を取り外し、照明装置１の重量を軽くする。この状態では、支柱２が厚さ２ｍｍのステンレス鋼板を板金加工して形成されたものであることから、照明装置１の重量が６０Ｋｇ程度となり、２名程度の作業者による人力での容易な搬入並びに設置が可能になる。
【００７７】
支柱２の前面板を着脱するものも製作し、同効果を確認しており、前面板のものも可能。
【００７８】
また、照明装置１の設置箇所に、深さ１ｍ余りの穴を掘り、穴の底面に割石や栗石等を敷設する。そして、支柱２を穴に入れ、補助のつっかい棒等を用いて、支柱２を立て、コンクリートを穴に流し込み、コンクリートの表面を支柱２のベースプレート１１の位置と略同一高さになる様に均す。この状態で、コンクリートを固めてから、補助のつっかい棒等を除去する。
【００７９】
更に、各蓄電池６及び充放電ユニット７を支柱２内に収容して、配線を接続し、背面板２ｅを支柱２の背面に取り付けてネジ止めする。
【００８０】
従って、クレーン車や掘削車等の建設重機を必用とせず、２名程度の作業者だけで、照明装置１を設置することができる。また、建設重機の侵入が不可能な道路の無い区域や急斜面の区域であっても、照明装置１の設置が可能である。更に、設置作業中の通行規制やガードマンの配置等が不用である。
【００８１】
また、支柱２が四角柱状であるから、固まったコンクリートにより支柱２の台風又は強風などによる回転が禁止される。このため、支柱２の回転を止めるための格別な構造を必用としない。
【００８２】
尚、本発明は、上記実施例に限定されるものではなく、多様に変形することができる。例えば、各ＬＥＤランプの個数や配置、及びＬＥＤランプの各ＬＥＤの個数や配置を適宜に変更しても良い。また、主照明部３及び副照明部４の照明方向を適宜に変更したり調節可能な構造を採用しても構わない。更に、主照明部３として、ＬＥＤランプの代わりに、多の種類の光源を採用しても良い。あるいは、副照明部４として、ＬＥＤランプの代わりに、他の種類の光源と反射板等の組み合わせを採用して、副照明部４に指向性を持たせても構わない。また、主照明部３及び副照明部４の照射光の色を相互に異ならせても良い。
【００８３】
更に、太陽電池と蓄電池の組み合わせからなる電源と商用交流電源を選択的に利用可能にしたり、商用交流電源のみを利用しても良い。
【００８４】
また、支柱等の形状や材質を適宜に変更しても構わない。
【図面の簡単な説明】
【００８５】
【図１】本発明の照明装置の実施例１を示す斜視図である。
【図２】図１の照明装置を示す正面図であり、
【図３】図１の照明装置を示す側面図であり、
【図４】図１の照明装置を上方から見て示す平面図である。
【図５】図１の照明装置による照明範囲を示す側面図である。
【図６】図１の照明装置における主照明部のＬＥＤランプを示す側面図である。
【図７】図１の照明装置における副照明部のＬＥＤランプを示す側面図である。
【図８】図５のＬＥＤランプの取り付け状態を示す図である。
【図９】図１の照明装置の設置例を示す斜視図である。
【図１０】図１の照明装置における太陽電池、支持枠、及びシャフト等を示す断面図である。
【符号の説明】
【００８６】
１  照明装置
２  支柱
３  主照明部
４  副照明部
５  太陽電池
６  蓄電池
７  充放電ユニット
１１  ベースプレート
１２  補強板
２１、２２、３３  ＬＥＤランプ
４１  支持枠
４２  シャフト
４３  シャフト受け
【図１】
2005235513.tif 000003
【図２】
2005235513.tif 000004
【図３】
2005235513.tif 000005
【図４】
2005235513.tif 000006
【図５】
2005235513.tif 000007
【図６】
2005235513.tif 000008
【図７】
2005235513.tif 000009
【図８】
2005235513.tif 000010
【図９】
2005235513.tif 000011
【図１０】
2005235513.tif 000012